【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
被管理対象者、及び、被管理対象者に割り当てられ、無線タグが内蔵又は貼付された携帯端末機の状態を管理する位置情報管理システムであって、
被管理対象者の特定ができた場合にのみ通過が可能な単数又は複数の入退出機と、
前記携帯端末機の前記無線タグが有する情報を読み取り可能な単数又は複数の第１のリーダを保管スペースに備えて、前記携帯端末機の入出庫を確認可能な単数又は複数の保管庫と、
前記入退出機によって区切られた領域の内部の少なくとも一領域に前記携帯端末機が存在するか否かを確認可能な単数又は複数の第２のリーダと、
前記入退出機、前記第１のリーダ及び第２のリーダからの信号を利用して、被管理対象者及び携帯端末機の状態を把握する位置情報管理サーバとを備え、
当該位置情報管理サーバは、前記入退出機、前記第１のリーダ及び第２のリーダからの信号を受信して、記憶可能な位置情報データベースを有し、
前記位置情報管理サーバは、前記位置情報データベースに記憶された前記入退出機からの前記被管理対象者の最新の入場信号又は退場信号、前記第１のリーダからの前記携帯端末機の最新の入庫信号又は退庫信号、及び、前記第２のリーダからの前記携帯端末機の最新の検知信号又は不検知信号とを組み合わせて、前記被管理対象者及び前記携帯端末機の状態を把握して、外部に出力可能であり、
前記位置情報管理サーバが把握した前記被管理対象者及び前記携帯端末機の状態に矛盾がある場合は、前記位置情報管理サーバは、前記入退出機からの信号を最優先し、前記第１のリーダからの信号を次に優先して、把握している矛盾状態を矛盾のない状態へと補正し、外部に出力可能であることを特徴とする位置情報管理システム。
【請求項２】
前記矛盾状態においては、前記第２のリーダからの検知信号又は不検知信号を、他方の検知信号又は不検知信号へと強制的に変更して補正を行うことを特徴とする請求項１に記載の位置情報管理システム。
【請求項３】
前記位置情報管理サーバは、前記入退出機、前記第１のリーダ又は前記第２のリーダの何れかからの信号を受信した場合、受信した当該信号を前記位置情報データベースに記憶するとともに、受信した前記信号以外の他の前記入退出機、前記第１のリーダ又は前記第２のリーダの何れか２つからの最新の信号を前記位置情報データベースから読み出して、３つの信号の組み合わせを行い、前記被管理対象者及び前記携帯端末機の状態を把握して、外部に出力可能であることを特徴とする請求項１又は請求項２に記載の位置情報管理システム。
【請求項４】
前記被管理対象者及び前記携帯端末機の状態により、アラームを発報可能であることを特徴とする請求項１乃至請求３のうち、いずれか１に記載の位置情報管理システム。
【請求項５】
前記入退出機は、前記被管理対象者の生体情報、又は、当該被管理対象者が保持するＩＤカードに記憶された情報を読み取ることによって当該被管理対象者を特定可能であることを特徴とする請求項１乃至請求４のうち、いずれか１に記載の位置情報管理システム。
【手続補正２】
【補正対象書類名】明細書
【補正対象項目名】００１２
【補正方法】変更
【補正の内容】
【００１２】
上記目標達成のため、本発明に係る位置情報管理システムは、被管理対象者、及び、被管理対象者に割り当てられ、無線タグが内蔵又は貼付された携帯端末機の状態を管理する位置情報管理システムであって、被管理対象者の特定ができた場合にのみ通過が可能な単数又は複数の入退出機と、前記携帯端末機の前記無線タグが有する情報を読み取り可能な単数又は複数の第１のリーダを保管スペースに備えて、前記携帯端末機の入出庫を確認可能な単数又は複数の保管庫と、前記入退出機によって区切られた領域の内部の少なくとも一領域に前記携帯端末機が存在するか否かを確認可能な単数又は複数の第２のリーダと、前記入退出機、前記第１のリーダ及び第２のリーダからの信号を利用して、被管理対象者及び携帯端末機の状態を把握する位置情報管理サーバとを備え、当該位置情報管理サーバは、前記入退出機、前記第１のリーダ及び第２のリーダからの信号を受信して、記憶可能な位置情報データベースを有し、前記位置情報管理サーバは、前記位置情報データベースに記憶された前記入退出機からの前記被管理対象者の最新の入場信号又は退場信号、前記第１のリーダからの前記携帯端末機の最新の入庫信号又は退庫信号、及び、前記第２のリーダからの前記携帯端末機の最新の検知信号又は不検知信号とを組み合わせて、前記被管理対象者及び前記携帯端末機の状態を把握して、外部に出力可能であり、前記位置情報管理サーバが把握した前記被管理対象者及び前記携帯端末機の状態に矛盾がある場合は、前記位置情報管理サーバは、前記入退出機からの信号を最優先し、前記第１のリーダからの信号を次に優先して、把握している矛盾状態を矛盾のない状態へと補正し、外部に出力可能であることを特徴とする。
【手続補正３】
【補正対象書類名】明細書
【補正対象項目名】００１４
【補正方法】変更
【補正の内容】
【００１４】
また、本発明の前記位置情報管理サーバは、前記入退出機、前記第１のリーダ又は前記第２のリーダの何れかからの信号を受信した場合、受信した当該信号を前記位置情報データベースに記憶するとともに、受信した前記信号以外の他の前記入退出機、前記第１のリーダ又は前記第２のリーダの何れか２つからの最新の信号を前記位置情報データベースから読み出して、３つの信号の組み合わせを行い、前記被管理対象者及び前記携帯端末機の状態を把握して、外部に出力可能であることを特徴とする。
【手続補正４】
【補正対象書類名】明細書
【補正対象項目名】００２１
【補正方法】変更
【補正の内容】
【００２１】
また、入退出機における入退出管理は通常の出退勤管理の一貫で普段から行われており、従業員の心理的及び作業的負担が増してしまうものではなく、また、保管庫に備えられた第１のリーダ及び作業スペースに設置された第２のリーダは、被管理対象者が無線タグを意識することなく、携帯端末機に内蔵又は貼付された無線タグを自動的に読込みこむので、被管理対象者は無線タグの読取操作を行うことなく、携帯端末機の位置情報を取得することができるため、被管理対象者に心理的負担や、新たな作業を課すことなく、被管理対象者及びその携帯端末機の状態を把握可能である。
【手続補正５】
【補正対象書類名】明細書
【補正対象項目名】００３０
【補正方法】変更
【補正の内容】
【００３０】
［携帯端末機と無線タグについて］
携帯端末機５は、ノート型パソコンや、タブレット型端末機等を使用する。また、携帯端末機５は、物体の識別に利用される微小な無線ＩＣチップである無線タグ（以下、例として、ＲＦＩＤタグ６を用いて説明する）が貼付けられる。または、ＲＦＩＤタグ６と同等の機能が携帯端末機５に内蔵されてもよいことは当然である。ＲＦＩＤタグ６は、携帯端末機５に付随する小型の発信機として機能し、ＲＦＩＤタグ６が発信する情報としては、「タグＩＤ」、「携帯端末機ＩＤ」等がある。
【手続補正６】
【補正対象書類名】明細書
【補正対象項目名】００３１
【補正方法】変更
【補正の内容】
【００３１】
ＲＦＩＤタグ６のような無線タグは形式によって、アクティブタグとパッシブタグに大きく分類される。アクティブタグは、自己の筐体内に電源を有し、自ら電波を発信するタグである。自ら電波を発信するため、リーダ／ライタとが比較的離間し距離が数十〜百数十ｍでもアンテナに送信することが可能である。
【手続補正７】
【補正対象書類名】明細書
【補正対象項目名】００３６
【補正方法】変更
【補正の内容】
【００３６】
無線タグとリーダのアンテナとの通信は、無線通信を使用する。一般的な規格として、Ｗｉ−Ｆｉ（ｗｉｒｅｌｅｓｓ  ｆｉｄｅｌｉｔｙ：登録商標）や、ＩｒＤＡ（Ｉｎｆｒａｒｅｄ  Ｄａｔａ  Ａｓｓｏｃｉａｔｉｏｎ）を使用することが好適であるが、リーダのアンテナとタグとの間の無線通信を行うもので有れば、限定はしない。